(57)【要約】  【課題】  電子機器の筐体内で発生するノイズがチューナモジュールに与える影響を小さくする。  【解決手段】  チューナモジュール１を電子機器２のスロット３に挿入した際に、チューナモジュール１の一部分が電子機器２の筐体外に出るようになっており、電子機器２の筐体外に位置する部分にノイズの影響を受けやすいチューナ部１０が配置される。また、電子機器２は、例えば、金属製の筐体を用いたり、筐体内面にシールド材を配置したりすることにより、筐体全体にシールド処理が施され、システムクロックや電源回路のスイッチング動作により発生する不要輻射と称されるノイズが筐体外に漏れ出すのを防いでいる。そのため、チューナモジュール１がスロット３に挿入された使用形態では、電子機器２の筐体内で発生するノイズがチューナモジュール１の非挿入部分に配置されたチューナ部１０に与える影響を小さくすることができる。【選択図】  図１
2006352432.tif 000002
【特許請求の範囲】
【請求項１】
外部の機器に設けられたスロットに挿入することにより、上記外部の機器と接続可能なチューナモジュールにおいて、
外部から供給された電波から所定の周波数の変調信号を選択し、上記変調信号を復調して復調信号を出力するチューナ部と、
上記外部の機器と接続して信号の授受を行うコネクタと
を備え、
上記外部の機器のスロットに挿入した時に、上記外部の機器の筐体外に位置する非挿入部分に、上記チューナ部が配置されるようにした
ことを特徴とするチューナモジュール。
【請求項２】
請求項１に記載のチューナモジュールにおいて、
挿入部分と上記非挿入部分との境界位置に鍔状に遮蔽板を設け、
上記外部の機器のスロットに挿入された時に、上記外部の機器の筐体の外側に位置する上記遮蔽板によって、上記スロットの隙間を塞ぐようにした
ことを特徴とするチューナモジュール。
【請求項３】
複数のチャンネルの信号が多重された入力信号から所定のチャンネルのデータを取り出し、圧縮符号化された信号を復号して映像信号と音声信号とを出力するデコーダと、
上記デコーダから供給された映像信号を出力する表示部と、
上記デコーダから供給された音声信号を出力する音声出力部と、
チューナモジュールが挿入されるスロットと、
上記チューナモジュールと接続して信号の授受を行う、上記スロットの内部に設けられたコネクタと
を備え、
筐体内部で発生するノイズが外部に漏れ出さないよう上記筐体全体にシールド処理を施し、
上記スロットの周囲に遮蔽板を設け、上記チューナモジュールが接続された際に上記チューナモジュールと上記スロットとの隙間を塞ぐようにした
ことを特徴とする電子機器。
【発明の詳細な説明】
【技術分野】
【０００１】
この発明は、ノイズの影響を小さくするチューナモジュールおよび電子機器に関する。
【背景技術】
【０００２】
最近のＰＣ（Personal Computer：パーソナルコンピュータ）やＰＤＡ（Personal Digital Assistant：携帯情報端末）などの電子機器には、例えば、ＰＣＭＣＩＡ(Personal Computer Memory Card International Association)規格準拠のＰＣカードやＰＣＩ（Peripheral Component Interconnect）ボード、メモリーカードなどのスロットや、内蔵の専用コネクタが設けられ、モジュールやメモリーカード等を挿入し、内部のコネクタなどのインターフェースに接続することにより、様々な用途に用いることができるようになっている。
【０００３】
近年、これらのインターフェースに接続してテレビジョン放送を受信することができるテレビジョン放送用チューナモジュールが市販されている。このようなテレビジョン放送用チューナモジュールをＰＣ等の電子機器に接続し、テレビジョン放送用チューナモジュールでテレビジョン放送の電波を受信して電子機器で表示する技術が特許文献１に記載されている。
【０００４】
【特許文献１】特開平５−２０２７２号公報
【０００５】
スロットに挿入して用いられるモジュールやメモリーカードは、一般に、モジュール全体が十分小さい場合には、接続される電子機器の筐体外部に引き出す必要のある部分を除いて、電子機器の筐体内部に収まるように設計されている。また、モジュール全体が収まらない場合には、モジュールの多くの部分をできる限り筐体の内部に収めるように設計されている。
【発明の開示】
【発明が解決しようとする課題】
【０００６】
ところで、ＰＣなどの電子機器の筐体内部では、電子機器が動作するために、システムクロックなどの信号が流れており、システムクロックに基づくノイズが発生する。また、電源回路のスイッチング動作に基づくスイッチングノイズなども発生する。そのため、モジュール全体を電子機器の筐体内部に収めた場合、これらのノイズの影響を大きく受けてしまうと考えられる。例えば、ディジタルテレビジョン放送用チューナモジュールが外部から受信する高周波数帯の信号にノイズが重畳すると、信号に誤りが増えてしまうと考えられる。そのため、訂正できない誤りが増えてしまい、画質が劣化してしまうという問題点があった。
【０００７】
また、電子機器の筐体内部で発生するノイズは、電子機器が動作するクロックの周波数や筐体の構造などによって異なるため、機種毎に発生するノイズがそれぞれ異なると考えられる。そのため、このモジュールを複数の電子機器で使用する場合には、それぞれの機種に応じたノイズ対策が必要となる。また、様々な電子機器で使用してもノイズの影響を受けないようにするためには、例えば、モジュールに対して強固なシールド処理を施す必要があり、コストが上昇してしまうという問題点があった。
【０００８】
したがって、この発明の目的は、電子機器の筐体内部で発生するノイズの影響を小さくするチューナモジュールおよび電子機器を提供することにある。
【課題を解決するための手段】
【０００９】
上述した課題を解決するために、第１の発明は、外部から供給された電波から所定の周波数の変調信号を選択し、変調信号を復調して復調信号を出力するチューナ部と、外部の機器と接続して信号の授受を行うコネクタとを備え、外部の機器のスロットに挿入した時に、外部の機器の筐体外に位置する非挿入部分に、チューナ部が配置されるようにしたことを特徴とするチューナモジュールである。
【００１０】
また、第２の発明は、外部から供給された復調信号のスクランブルを解除し、複数のチャンネルの信号が多重された信号から所定のチャンネルのデータを取り出し、圧縮符号化された信号を復号して映像信号と音声信号とを出力するデコーダと、デコーダから供給された映像信号を出力する表示部と、デコーダから供給された音声信号を出力する音声出力部と、チューナモジュールが挿入されるスロットと、チューナモジュールと接続して信号の授受を行う、スロットの内部に設けられたコネクタとを備え、筐体内部で発生するノイズが外部に漏れ出さないよう筐体全体にシールド処理を施し、スロットの周囲に遮蔽板を設け、チューナモジュールが接続された際にチューナモジュールとスロットとの隙間を塞ぐようにしたことを特徴とする電子機器である。
【００１１】
上述したように、第１の発明は、外部から供給された電波から所定の周波数の変調信号を選択し、変調信号を復調して復調信号を出力し、外部の機器と接続して信号の授受を行い、外部の機器のスロットに挿入した時に、外部の機器の筐体外に位置する非挿入部分に、チューナ部が配置されるようにしているため、外部の機器の筐体内で発生するノイズが外部の機器の筐体外に配置されたチューナ部に与える影響を小さくすることができる。
【００１２】
また、第２の発明は、外部から供給された復調信号のスクランブルを解除し、複数のチャンネルの信号が多重された信号から所定のチャンネルのデータを取り出し、圧縮符号化された信号を復号して映像信号と音声信号とを出力し、チューナモジュールが挿入され、チューナモジュールと接続して信号の授受を行い、筐体内部で発生するノイズが外部に漏れ出さないよう筐体全体にシールド処理を施し、スロットの周囲に遮蔽板を設け、チューナモジュールが接続された際にチューナモジュールとスロットとの隙間を塞ぐようにしているため、筐体内で発生するノイズがスロットに挿入されたチューナモジュールに対して与える影響を小さくすることができる。
【発明の効果】
【００１３】
この発明は、チューナモジュールを電子機器に接続した際に、チューナモジュールの非挿入部分に、ノイズが漏れ込んだ際に影響が大きいチューナ部を配置するようにしているため、電子機器の筐体内でノイズが発生してもチューナ部に対する影響を小さくすることができるという効果がある。
【００１４】
また、この発明は、チューナモジュールの挿入部分と非挿入部分との境界部分に遮蔽板を設けるようにしているため、チューナモジュールと電子機器のスロットとの間の隙間から、電子機器の筐体内で発生するノイズが筐体外に漏れ出すのを防ぐことができるという効果がある。
【発明を実施するための最良の形態】
【００１５】
以下、この発明の実施の一形態について、図面を参照して説明する。この発明の実施の一形態では、ＰＣやＰＤＡなどの表示機能を有する電子機器に設けられたスロットにディジタルテレビジョン放送用チューナモジュールを挿入してディジタルテレビジョン放送を受信する際に、チューナモジュールの一部分が電子機器の筐体外に出るように接続し、チューナモジュール内のＲＦ（Radio Frequency）回路が筐体外に位置する非挿入部分に配置されるようにした。なお、以下では、地上波ディジタルテレビジョン放送が受信可能なディジタルテレビジョン放送用チューナモジュールを例にとって説明する。
【００１６】
図１は、この発明の実施の一形態に適用可能な使用例を示す。この例は、図１Ａに示すように、ＰＣカード型のディジタルテレビジョン放送用チューナモジュール１（以下、チューナモジュール１と適宜称する）をノート型ＰＣからなる電子機器２に接続して地上波ディジタルテレビジョン放送を受信する場合の例である。チューナモジュール１は、側面に設けられたアンテナ端子１３に外部のアンテナが接続され、電子機器２に設けられたスロット３に挿入される。そして、ディジタル放送用チューナモジュール１のコネクタと、電子機器２の内部に設けられたコネクタとを接続することにより、電子機器２で地上波ディジタルテレビジョン放送を視聴することができる。
【００１７】
図１Ｂは、チューナモジュール１と電子機器２とが接続されたときの外観を示す。チューナモジュール１を電子機器２に挿入した際に、チューナモジュール１の一部分が電子機器２の筐体外に出るようになっており、電子機器２の筐体外に位置する非挿入部分にノイズの影響を受けやすいＲＦ回路であるチューナ部１０が配置される。
【００１８】
図２は、図１に示すチューナモジュール１および電子機器２の電気的構成の一例を示す。なお、図２に示す構成は、この発明の実施の一形態に関係の深い部分のみを示し、それ以外の部分については省略する。チューナモジュール１が電子機器２のスロット３に挿入され、チューナモジュール側のコネクタ１２ａと電子機器２側のコネクタ１２ｂとが接続される。この時、チューナモジュール１内のチューナ部１０は、非挿入部分に配置される。
【００１９】
先ず、この発明の実施の一形態に適用可能なチューナモジュール１について説明する。チューナモジュール１は、放送設備５０から送信された電波を、アンテナ端子１３に接続された外部のアンテナ１４を介して受信する。そして、チューナモジュール１は、受信した電波に対して、復調や誤り訂正などの所定の信号処理を施し、コネクタ１２ａを介して接続された電子機器２に供給する。
【００２０】
放送設備５０では、例えば、地上波ディジタルテレビジョン放送の場合、ＭＰＥＧ−２（Moving Picture Experts Group-2）方式により、映像、音声およびデータの圧縮符号化を行う。そして、ＭＰＥＧ−２システムズ（MPEG-2 Systems）の規定に従い、映像データ、音声データおよびこれらに付加される付加データを各チャンネル毎およびデータ種類毎にパケット化し、時分割で多重化してトランスポートストリーム（ＴＳ：Transport Stream）と呼ばれるパケット列を生成する。
【００２１】
生成されたトランスポートストリーム（以下、ＴＳと適宜称する）は、特定の視聴者のみが視聴できるようにするためのスクランブル処理が施される。そして、スクランブル処理されたＴＳに対して、変調処理が施されて送信される。変調方式は、例えば、地上波ディジタルテレビジョン放送の場合、衛星ディジタルテレビジョン放送と異なり、山やビルなどによる反射波を考慮する必要があるため、マルチパスによる妨害に強いＯＦＤＭ（Orthogonal Frequency Division Multiplex）変調方式が用いられる。
【００２２】
ここで、ＴＳについて、図３を参照して概略的に説明する。図３は、ＴＳの構造を示す。ＴＳは、図３Ａに示すように、ＴＳパケットで構成されている。ＴＳパケットは、１８８バイトの固定長のパケットであり、図３Ｂに示すように、ＴＳヘッダとＴＳペイロードおよび／またはアダプテーションフィールドで構成されている。ＴＳパケットのＴＳヘッダは、図３Ｃに示すように、ＴＳパケットの先頭を検出するための同期バイト、パケットの中のビットエラーの有無を示す誤り表示、新たなＰＥＳ（Packetized Elementary Stream）パケットの開始を示すユニット開始表示、パケットの重要度を示す優先度、パケットの属性を示すＰＩＤ（Packet IDentification）等で構成される。アダプテーションフィールドは、ＴＳペイロードのデータに関する情報を示すことができるものである。
【００２３】
ＰＩＤは、１３ビットの値によりパケットの属性を示し、ＴＳペイロードに格納されるデータの種類により値が異なる。このＰＩＤは、必要とするＴＳパケットをフィルタリングする際に用いられる。
【００２４】
説明は図２に戻り、チューナモジュール１は、チューナ部１０、Ｉ／Ｆコントローラ１１、コネクタ１２ａおよびアンテナ端子１３を備える。アンテナ端子１３には、外部のアンテナ１４が接続され、放送設備５０から送信された電波がアンテナ１４で受信されてチューナ部１０に供給される。
【００２５】
チューナ部１０は、選局部２０、復調部２１、誤り訂正処理部２２、制御部２３およびＲＡＭ（Random Access Memory）２４を備える。選局部２０は、アンテナ１４から供給された電波から所定の周波数の変調信号を選局し、復調部２１に供給する。復調部２１は、選局部２０から供給された変調信号に対して所定の方式に基づき復調処理を施し、復調されたＴＳを誤り訂正処理部２２に供給する。例えば、地上波ディジタルテレビジョン放送の場合、ＯＦＤＭ変調方式に基づく復調処理がなされる。誤り訂正処理部２２は、復調部２１から供給されたＴＳに対して誤り訂正処理を行い、ＴＳをＩ／Ｆコントローラ１１に供給する。
【００２６】
制御部２３は、後述する電子機器２のＣＰＵ３２からの命令に基づき、チューナ部１０の各部の制御を行う。また、制御部２３は、ＲＡＭ２４をプログラム実行時のワークメモリとして用いる。
【００２７】
Ｉ／Ｆコントローラ１１は、コネクタ１２ａを介して接続された電子機器２との通信を制御する。Ｉ／Ｆコントローラ１１は、チューナ部１０から供給されたＴＳを電子機器２に供給する。また、Ｉ／Ｆコントローラ１１は、電子機器２から供給された制御信号を制御部２３に供給する。
【００２８】
次に、この発明の実施の一形態に適用可能な電子機器２の構成の一例について説明する。電子機器２は、コネクタ１２ｂに接続されたチューナモジュール１から受け取ったＴＳに対して、デスクランブラや復号などの所定の信号処理を施し、視聴者の操作に応じて所定のチャンネルを選択し、映像の表示や音声の出力を行う。
【００２９】
電子機器２は、Ｉ／Ｆコントローラ３０、デコーダ３１、ＣＰＵ（Central Processing Unit）３２、ＲＯＭ（Read Only Memory）３３、ＲＡＭ３４、操作部３５、表示部３６および音声出力部３７を備える。Ｉ／Ｆコントローラ３０は、コネクタ１２ｂを介して接続されたチューナモジュール１との通信を制御する。Ｉ／Ｆコントローラ３０は、ＣＰＵ３２の命令に基づき通信制御がなされ、チューナモジュール１から供給されたＴＳをデコーダ３１に供給する。また、Ｉ／Ｆコントローラ３０は、ＣＰＵ３２から供給された制御信号をチューナモジュール１に供給する。
【００３０】
デコーダ３１は、デスクランブラ４０、ＤｅＭＵＸ（DeMUltipleXor）部４１、復号部４２を備える。デスクランブラ４０は、Ｉ／Ｆコントローラ３０から供給されたＴＳに対して施されているスクランブルを解除するための処理を施し、ＤｅＭＵＸ部４１に供給する。なお、Ｉ／Ｆコントローラ３０から供給されたＴＳにスクランブル処理が施されていない場合、デスクランブラ４０は、スクランブル解除処理を施さずに、ＴＳをそのままＤｅＭＵＸ部４１に供給する。
【００３１】
ＤｅＭＵＸ部４１は、ＴＳパケットのヘッダ部に格納されたＰＩＤの値に基づきフィルタリングを行い、多重されたＴＳから必要なストリームを取り出し、復号部に供給する。復号部４２は、ＤｅＭＵＸ部４１から供給されたストリームに含まれる映像データ、音声データおよび付加データに対して、それぞれのデータに応じた復号化処理を施し、映像データ、音声データおよび付加データを出力する。復号された映像データは、表示部３６に供給されて表示される。付加データは、例えば、ＯＳＤ（On Screen Display）処理により、映像に重ね合わせて表示することができる。また、音声データは、音声出力部３７に供給されて音声が出力される。
【００３２】
ＣＰＵ３２は、ＲＯＭ３２に予め格納されたプログラムに従い、電子機器２の各部およびチューナモジュール１の制御部２３を制御する。また、ＣＰＵ３２は、ＲＡＭ３３を有し、プログラム実行時のワークメモリとして用いる。操作部３５は、例えばキーボードからなり、チャンネルを選択するための選局情報が視聴者によって入力される。入力された選局情報は、ＣＰＵ３２に供給される。ＣＰＵ３２は、操作部３５から供給された選局情報に基づき、所定の周波数の信号を選択するようチューナモジュール１の制御部２３を制御すると共に、多重されたＴＳから所定のストリームを取り出すようデコーダ３１を制御する。
【００３３】
ここで、電子機器２の筐体内では、例えば、ＣＰＵ３２を駆動する際のクロックや図示されない電源回路のスイッチング動作などにより、不要輻射と称されるノイズが発生し、このノイズがチューナ部１０に影響を与えることが考えられる。
【００３４】
しかしながら、電子機器２は、例えば、金属製の筐体を用いたり、筐体内面にシールド材を配置したり、筐体内面にシールド効果のある塗料を塗布したりすることにより、筐体全体にシールド処理が施され、外部にノイズが漏れ出すことがないようにされている。また、チューナモジュール１がスロット３に挿入された使用形態では、チューナ部１０は、電子機器２の筐体外に配置されているため、ノイズが重畳することはないか、または、重畳されるノイズの影響は小さいと考えられる。従って、上述のように、チューナモジュール１を電子機器２に挿入して接続し、チューナモジュール１内のチューナ部１０を非挿入部分に配置することにより、電子機器２の筐体内で発生するノイズがチューナ部１０に漏れ込むのを防ぐことができる。
【００３５】
次に、この発明の実施の一形態の変形例について説明する。通常、電子機器は、例えば金属製の筐体を用いたり、筐体内面にシールド材を配置したり、筐体内面にシールド効果のある塗料を塗布したりすることによりシールド処理が施されているため、筐体内で発生するノイズが外部に漏れ出すことがないようになっている。しかしながら、スロットにモジュールを挿入した場合、モジュールとスロットとが干渉するのを防ぐため、モジュールとスロットとの間に隙間が生じるようになっており、この隙間から、電子機器の内部で発生するノイズが漏れ出し、電子機器の筐体外に配置された、モジュール内のチューナ部に漏れ込んでしまうことが考えられる。
【００３６】
そこで、この発明の実施の一形態の変形例では、実施の一形態で説明したチューナモジュールに、電子機器への挿入部分と非挿入部分との境界位置に、チューナモジュールを包囲するように鍔状の金属の遮蔽板を設け、チューナモジュールとスロットとの間にできる隙間を遮蔽板によって塞ぐようにした。なお、以下では、上述の図１と共通する部分には同一の符号を付し、詳細な説明を省略する。
【００３７】
図４は、チューナモジュール１’と電子機器２とが接続される様子を示す。チューナモジュール１’には、図４Ａに示すように、ノイズを防ぐために金属製の遮蔽板６０が取り付けられる。チューナモジュール１’が電子機器２のスロット３に挿入されると、図４Ｂに示すように、チューナモジュール１’とスロット３との間の隙間を塞ぐようにチューナモジュール１’の遮蔽板６０が電子機器２の筐体に密着する。
【００３８】
図４Ｃは、チューナモジュール１’と電子機器２とが接続された時の状態を上から見た図を示す。遮蔽板６０がない場合、部分「Ｘ」および「Ｙ」の隙間から、筐体内部で発生するノイズが漏れだしてしまうことが考えられる。しかしながら、遮蔽板６０を設けることにより、チューナモジュール１’を電子機器２に挿入した際に、遮蔽板６０がチューナモジュール１’とスロット３との間の隙間を塞ぐため、電子機器２の筐体内で発生するノイズがこの隙間から筐体外に漏れ出すのを防ぐことができる。
【００３９】
このように、チューナモジュール１’の、電子機器２の筐体内と筐体外との境界部分に遮蔽板６０を設け、チューナモジュール１’とスロット３との間の隙間を塞ぎ、内部からのノイズが筐体外へ漏れ出すのを防ぐことにより、ノイズがチューナ部１０へ与える影響を小さくすることができる。また、遮蔽板６０がチューナモジュール１’と一体的に取り付けられているため、チューナモジュール１’をスロット３に挿入するだけで、チューナモジュール１’とスロット３との間の隙間を手間なく塞ぐことができる。
【００４０】
また、上述のチューナモジュールを異なる複数の電子機器で使用する場合において、それぞれの電子機器に内で発生するノイズが異なる場合であっても、チューナモジュールに対するノイズによる影響は変わらないと考えられるので、それぞれの電子機器に応じたノイズ対策を施す必要がなく、シールド処理にかかるコストを低減することもできる。
【００４１】
さらに、遮蔽板６０は、例えば、チューナモジュール１’が動作することにより発生する熱を放出するための放熱板として用いることもできる。
【００４２】
なお、この例では、遮蔽板６０は、チューナモジュール１’側に設けるように説明したが、これに限らず、例えば、電子機器２のスロット３の周囲に遮蔽板を設けるようにしてもよい。
【００４３】
以上、この発明の実施の一形態および実施の一形態の変形例について具体的に説明したが、この発明は、上述の実施の一形態に限定されるものではなく、この発明の技術的思想に基づく各種の変形が可能である。例えば、地上波ディジタルテレビジョン放送に限らず、ＢＳ（Broadcasting satellite）ディジタルテレビジョン放送やＣＳ（Communication Satellite）ディジタルテレビジョン放送などの衛星ディジタルテレビジョン放送にも適用可能である。
【００４４】
また、ディジタルテレビジョン放送に限らず、例えば、アナログテレビジョン放送に対しても適用可能である。アナログテレビジョン放送を受信する場合、例えば、チューナモジュール１は、供給されたアナログテレビジョン放送の電波に対して、復調などの所定の信号処理を施し、ビデオのベースバンド信号を出力するようにすればよい。
【００４５】
さらに、この例では、外部のアンテナ１４を用いてディジタルテレビジョン放送の電波を受信するように説明したが、これはこの例に限られない。例えば、チューナモジュール１に、アンテナを内蔵し、このアンテナを用いて電波を受信するようにしてもよい。
【図面の簡単な説明】
【００４６】
【図１】この発明の実施の一形態によるチューナモジュールおよび電子機器の一例の構成を示す略線図である。
【図２】この発明の実施の一形態によるチューナモジュールおよび電子機器の電気的構成の一例を示すブロック図である。
【図３】トランスポートストリームの構造を示す略線図である。
【図４】この発明の実施の一形態の変形例によるチューナモジュールおよび電子機器の一例の構成を示す略線図である。
【符号の説明】
【００４７】
１  チューナモジュール
２  電子機器
１０  チューナ部
１２ａ、１２ｂ  コネクタ
２０  選局部
２１  復調部
２２  誤り訂正部
２３  制御部
２４  ＲＡＭ
３１  デコーダ
３２  ＣＰＵ
３３  ＲＯＭ
３４  ＲＡＭ
３５  操作部
４０  デスクランブラ
４１  ＤｅＭＵＸ部
４２  復号部
６０  遮蔽板
【図１】
2006352432.tif 000003
【図２】
2006352432.tif 000004
【図３】
2006352432.tif 000005
【図４】
2006352432.tif 000006